【手続補正書】
【提出日】平成18年6月1日(2006.6.1)
【手続補正１】
【補正対象書類名】明細書
【補正対象項目名】特許請求の範囲
【補正方法】変更
【補正の内容】
【特許請求の範囲】
【請求項１】  ＧＵＩ画面の画面構成情報とＧＵＩ画面のフォーカス情報を生成する画面生成部と、前記画面構成情報と前記フォーカス情報を前記画面生成部から取得してＧＵＩ画面を生成する画面表示部と、生成された前記ＧＵＩ画面を表示するディスプレイと、前記画面表示部をキー入力情報で制御する入力デバイスとを備え、表示されたＧＵＩ画面をコントロールするフォーカス制御システムであって、
前記画面生成部から、前記画面構成情報と前記フォーカス情報が入力されると、前記画面表示部は、前記画面構成情報と前記フォーカス情報から次のＧＵＩ画面を生成し、
前記入力デバイスから前記キー入力情報が入力され、前記キー入力情報の内容が、ＧＵＩ画面内のフォーカスの移動を表す場合には、前記画面表示部は前記画面生成部から新たにフォーカス情報と画面配置情報を取得してＧＵＩ画面を生成し、
前記キー入力情報の内容が、ＧＵＩ画面全体の更新を表す場合には、前記画面表示部は前記画面生成部から新たに画面構成情報とフォーカス情報を取得してＧＵＩ画面を生成することを特徴とするフォーカス制御システム。
【請求項２】  前記画面生成部は、さらに、画面構成データ保存手段と状態管理手段とを備え、
前記画面構成データ保存手段は、ＧＵＩ部品の構成を記述した画面構成情報とＧＵＩ画面上のフォーカス移動について記述してあるフォーカス情報を保存し、
前記状態管理手段は前記画面表示部から画面の更新を依頼するための状態変化通知が入力されると、前記画面構成データ保存手段から前記状態変化通知に対応付けられた画面構成情報とフォーカス情報を取り出して、前記画面表示部へ出力することを特徴とする請求項１に記載のフォーカス制御システム。
【請求項３】  前記画面生成部は、さらに、フォーカス情報生成手段と画面構成情報生成手段とを備え、
前記フォーカス情報生成手段は、フォーカスの移動に関する情報を作成するのに必要なフォーカス動作情報が入力されるとＧＵＩ画面上のフォーカス移動について記述したフォーカス情報を生成して前記画面表示部へ出力し、
前記画面構成情報生成手段は、ＧＵＩ画面を生成するのに必要な画面元情報が入力されると、ＧＵＩ部品の構成を記述した画面構成情報を生成して前記画面表示部へ出力し、
前記状態管理手段は、前記画面表示部から画面の更新を依頼するための状態変化通知が入力されると、前記フォーカス情報生成手段に前記フォーカス動作情報を送り、前記画面構成情報生成手段に前記画面元情報を送ることを特徴とする請求項１及び２のいずれかに記載のフォーカス制御システム。
【請求項４】  前記状態管理手段は、前記状態変化通知の内容が静的なデータのリクエストの場合、前記画面構成データ保存手段から前記状態変化通知に対応付けられた画面構成情報とフォーカス情報を取り出し、前記画面表示部へ送り、前記状態変化通知の内容が動的なデータのリクエストの場合、前記フォーカス情報生成手段に前記フォーカス動作情報を送り、前記画面構成情報生成手段に画面元情報を送ることを特徴とする請求項１、２及び３のいずれかに記載のフォーカス制御システム。
【請求項５】  前記画面生成部は、さらに、機器制御手段を備え、前記機器制御手段は、前記状態管理手段から制御命令が入力されると前記フォーカス制御システムを制御することを特徴とする請求項１、２、３、及び４のいずれかに記載のフォーカス制御システム。
【請求項６】  前記フォーカス制御システムは、さらに、フォーカス情報を保存するフォーカス位置保存手段を備え、
前記画面表示部は、ＧＵＩ部品間でフォーカス移動が発生した場合に、移動前のＧＵＩ部品のフォーカス情報を前記フォーカス位置保存手段に保存させ、フォーカスが再び前記移動前のＧＵＩ部品に戻った場合には、前記フォーカス位置保存手段から、前記移動前のＧＵＩ部品におけるフォーカス情報を次のフォーカス情報として取り出すことを特徴とする請求項１、２、３、４及び５のいずれかに記載のフォーカス制御システム。
【請求項７】  ＧＵＩ画面の画面構成情報とＧＵＩ画面のフォーカス情報を生成する画面生成部と、前記画面生成部に接続されたネットワークと、前記画面構成情報と前記フォーカス情報を前記画面生成部から前記ネットワーク経由で取得してＧＵＩ画面を生成する画面表示部と、生成された前記ＧＵＩ画面を表示するディスプレイと、前記画面表示部をキー入力情報で制御する入力デバイスとを備え、表示されたＧＵＩ画面をコントロールするフォーカス制御システムであって、
前記画面生成部から前記ネットワーク経由で前記画面構成情報と前記フォーカス情報が入力されると、前記画面表示部は、前記画面構成情報と前記フォーカス情報から次のＧＵＩ画面を生成し、
前記入力デバイスから前記キー入力情報が入力され、前記キー入力情報の内容が、ＧＵＩ画面内のフォーカスの移動を表す場合には、前記画面表示部は前記画面生成部から前記ネットワーク経由で新たにフォーカス情報と画面配置情報を取得してＧＵＩ画面を生成し、
前記キー入力情報の内容が、ＧＵＩ画面全体の更新を表す場合には、前記画面表示部は前記画面生成部から前記ネットワーク経由で新たに画面構成情報とフォーカス情報を取得してＧＵＩ画面を生成することを特徴とするフォーカス制御システム。
【請求項８】  前記画面生成部は、状態管理手段と、前記状態管理手段に接続され、前記ネットワーク経由で前記画面表示部とのデータの通信を制御する第１の入出力手段とを備え、
前記画面表示部は、
前記入力デバイス上で選択されたボタンを表すキー入力情報の内容を判断し、ＧＵＩ画面上のフォーカス、およびＧＵＩ画面の更新を制御する制御手段と、
ＧＵＩ画面上のフォーカス移動について記述してあるフォーカス情報を解析し、前記解析結果と外部からのキー入力情報から、次のフォーカスの移動先を決定し、フォーカス移動先情報を出力するフォーカス移動先決定手段と、
ＧＵＩ部品の構成を記述した画面構成情報を入力とし、次に表示するＧＵＩ画面に用いるＧＵＩ部品や前記ＧＵＩ部品の配置を決定し、ＧＵＩ画面の実際の配置位置を示す画面配置情報を出力する画面構成情報解析手段と、
前記フォーカス情報と前記画面配置情報から、次に表示するＧＵＩ画面を生成する手段と、
前記制御手段に接続され、前記ネットワーク経由で前記画面生成部とのデータの通信を制御する第２の入出力手段とを備え、
前記制御手段は、
イ）前記画面生成部から、前記第１の入出力手段と前記ネットワークと前記第２の入出力手段とを経由して、前記画面構成情報と前記フォーカス情報が入力された場合には、前記画面構成情報に基づき前記画面構成情報解析手段から前記画面配置情報を取得し、前記フォーカス情報に基づき前記フォーカス移動先決定手段から前記フォーカス移動先情報を取得し、前記ＧＵＩ画面を生成する手段に入力して次のＧＵＩ画面を生成し、
ロ）前記入力デバイスからの前記キー入力情報の内容が、ＧＵＩ画面内のフォーカスの移動を表す場合には、前記キー入力情報に基づき前記フォーカス移動先決定手段から新たにフォーカス移動先情報を取得し、前記新たなフォーカス移動先情報と前記画面配置情報とを前記ＧＵＩ画面を生成する手段へ入力して新たなＧＵＩ画面を生成し、
ハ）前記キー入力情報の内容が、ＧＵＩ画面全体の更新を表す場合には、ＧＵＩ画面の更新を依頼するための状態変更通知を前記第２の入出力手段と前記ネットワークと前記第１の入出力手段経由で前記画面生成部に出力し、前記画面生成部から新たな画面構成情報とフォーカス情報を前記第１の入出力手段と前記ネットワークと前記第２の入出力手段とを経由して取得することを特徴とする請求項７に記載のフォーカス制御システム。
【請求項９】  前記画面生成部は、さらに、ＧＵＩ部品の構成を記述した画面構成情報とＧＵＩ画面上のフォーカス移動について記述した画面構成データを保存する画面構成データ保存手段を備え、
前記状態管理手段は、前記第２の入出力手段と前記ネットワークと前記第１の入出力手段とを経由して前記画面表示部からＧＵＩ画面の更新を依頼するための状態変化通知が入力されると、前記画面構成データ保存手段から前記状態変化通知に対応付けられた前記画面構成情報と前記フォーカス情報を取り出して、前記第１の入出力手段と前記ネットワークと前記第２の入出力手段とを経由して前記画面表示部へ出力することを特徴とする請求項７及び８のいずれかに記載のフォーカス制御システム。
【請求項１０】  前記画面生成部は、さらに、
フォーカス動作情報が入力されると、ＧＵＩ画面上のフォーカス移動について記述したフォーカス情報を生成し、前記画面表示部へ出力するフォーカス情報生成手段と、
ＧＵＩ画面を生成するのに必要な画面元情報が入力されると、ＧＵＩ部品の構成を記述した画面構成情報を生成して、前記画面構成情報を、前記第１の入出力手段と前記ネットワークと前記第２の入出力手段とを経由して前記画面表示部へ出力する画面構成情報生成手段とを備え、
前記状態管理手段は、前記第２の入出力手段と前記ネットワークと前記第１の入出力手段とを経由して前記画面表示部からＧＵＩ画面の更新を依頼するための状態変化通知が入力されると、前記フォーカス情報生成手段に前記フォーカス動作情報を送り、前記画面構成情報生成手段に前記画面元情報を送ることを特徴とする請求項７、８及び９のいずれかに記載のフォーカス制御システム。
【請求項１１】  前記画面生成部は、さらに、ＧＵＩ部品の構成を記述した画面構成情報とＧＵＩ画面上のフォーカス移動について記述した画面構成データを保存する画面構成データ保存手段と、
フォーカス移動に関する情報を作成するのに必要なフォーカス動作情報が入力されると、ＧＵＩ画面上のフォーカス移動について記述したフォーカス情報を生成し、前記フォーカス情報を前記第１の入出力手段と前記ネットワークと前記第２の入出力手段とを経由して、前記画面表示部へ出力するフォーカス情報生成手段と、
ＧＵＩ画面を生成するのに必要な画面元情報が入力されると、ＧＵＩ部品の構成を記述した画面構成情報を生成して、前記画面構成情報を前記第１の入出力手段と前記ネットワークと前記第２の入出力手段とを経由して、前記画面表示部へ出力する画面構成情報生成手段とを備え、
前記状態管理手段は、前記画面表示部からＧＵＩ画面の更新を依頼するための状態変化通知が前記第２の入出力手段と前記ネットワークと前記第１の入出力手段とを経由して入力されると、 
前記状態変化通知が静的なデータのリクエストの場合には、前記画面構成データ保存手段から前記状態変化通知に対応付けられた前記画面構成データと前記フォーカス情報を取り出し、前記第１の入出力手段と前記ネットワークと前記第２の入出力手段を経由して、前記画面表示部へ送り、
前記状態変化通知の内容が動的なデータのリクエストの場合には、前記フォーカス情報生成手段へ前記フォーカス動作情報を送り、前記画面構成情報生成手段へ画面元情報を送ることを特徴とする請求項７、８、９及び１０のいずれかに記載のフォーカス制御システム。
【請求項１２】  前記画面生成部は、さらに、機器制御手段を備え、前記機器制御手段は前記状態管理手段から制御命令が入力されると前記フォーカス制御システムを制御することを特徴とする請求項８、９、１０及び１１のいずれかに記載のフォーカス制御システム。
【請求項１３】  前記画面表示部は、さらに、フォーカス情報を保存するフォーカス位置保存手段をさらに備え、
前記フォーカス移動先決定手段は、ＧＵＩ部品間でフォーカス移動が発生した場合に、移動前のＧＵＩ部品の前記フォーカス情報を前記フォーカス位置保存手段に保存させ、フォーカスが再び前記移動前のＧＵＩ部品に戻る場合には、前記フォーカス位置保存手段より、前記移動前のＧＵＩ部品のフォーカス情報を次のフォーカス位置情報として取り出すことを特徴とする請求項８、９、１０、１１及び１２のいずれかに記載のフォーカス制御システム。
【請求項１４】  前記フォーカス情報は１つ以上の移動情報を含み、前記移動情報は、移動が発生する際の条件に関する１つ以上の移動イベント発生条件情報と、前記移動イベント発生条件を満たしたときのフォーカスの移動やショートカット動作に関するアクション情報によって構成されていることを特徴とする請求項８、９、１０、１１、１２及び１３のいずれかに記載のフォーカス制御システム。
【請求項１５】  前記画面表示部はＨＴＭＬを表示処理可能であり、前記フォーカス情報は１つ以上の移動情報を含み、前記移動情報はＨＴＭＬのＵＲＬ形式であり移動先ファイル名、ラベル情報、フレーム名とで構成されることを特徴とする請求項８、９、１０、１１、１２、１３及び１４のいずれかに記載のフォーカス制御システム。
【請求項１６】  前記フォーカス制御システムは、さらに、
第２の画面表示部と、前記フォーカス制御システムと前記第２の画面表示部とを接続するネットワークとを備えたことを特徴とする請求項１、２、３、４、５及び６のいずれかに記載のフォーカス制御システム。
【手続補正２】
【補正対象書類名】明細書
【補正対象項目名】０００７
【補正方法】変更
【補正の内容】
【０００７】
【課題を解決するための手段】
上記課題を解決するために、本願の請求項１の発明は、画面表示部が、画面生成部から得たフォーカス情報とキー入力情報の内容に応じて、ＧＵＩ画面を生成する。
【手続補正３】
【補正対象書類名】明細書
【補正対象項目名】０００８
【補正方法】変更
【補正の内容】
【０００８】
この構成をとることで、画面表示部であるＷｅｂブラウザにフォーカス制御の手段が備わり、ＧＵＩ提供側の画面生成部であるＷｅｂサーバからのフォーカス情報でフォーカス操作が可能になる。
【手続補正４】
【補正対象書類名】明細書
【補正対象項目名】０００９
【補正方法】変更
【補正の内容】
【０００９】
本願の請求項６及び１３の発明は、フォーカス位置情報を保存するフォーカス位置保存手段が、ＧＵＩ画面を構成するＧＵＩ部品間でのフォーカスの移動が発生した際に、移動前のＧＵＩ部品でのフォーカス位置情報を保存する。
【手続補正５】
【補正対象書類名】明細書
【補正対象項目名】００１０
【補正方法】変更
【補正の内容】
【００１０】
この構成をとることで、例えば、画面表示部であるＷｅｂブラウザでフレームを表示している際に、フレーム間でフォーカス移動が発生する場合、移動前のフレームでのフォーカスの位置を覚えておき、もう一度そのフレームに戻ってくる際に、元の位置に戻ることができる。
【手続補正６】
【補正対象書類名】明細書
【補正対象項目名】００１１
【補正方法】変更
【補正の内容】
【００１１】
なお、請求項１及び後述の請求項７の発明の場合、フォーカスのフレーム間移動が発生した際の移動先はいつも一定になっている。
【手続補正７】
【補正対象書類名】明細書
【補正対象項目名】００１２
【補正方法】変更
【補正の内容】
【００１２】
本願の請求項２の発明は、画面構成データ保存手段が、画面構成データとフォーカス情報を保存し、状態管理手段が、画面表示部からの状態変更通知に従って、保存されている画面構成データとフォーカス情報を取り出して、画面表示部へ出力する。なお、請求項２の発明の場合、フォーカスのフレーム間移動が発生した際の移動先はいつも一定になっている。
【手続補正８】
【補正対象書類名】明細書
【補正対象項目名】００１３
【補正方法】変更
【補正の内容】
【００１３】
この構成をとることで、予めＧＵＩ画面提供側であるＡＶ機器の画面生成部がＧＵＩ部品の構成を記述した画面構成情報、例えば、ＨＴＭＬとそれに対応するフォーカス情報を保存しておき、その画面構成情報、例えば、ＨＴＭＬをＷｅｂブラウザである画面表示部に送信する仕組みを持つことで、ＧＵＩ提供側から静的にフォーカスの制御ができるようになる。
【手続補正９】
【補正対象書類名】明細書
【補正対象項目名】００１４
【補正方法】変更
【補正の内容】
【００１４】
本願の請求項３の発明は、状態管理手段は画面表示部からの状態変更通知に従って、画面構成情報生成手段に画面元情報、フォーカス情報生成手段にフォーカス動作情報を出力し、画面構成情報生成手段は画面元情報から画面構成情報を生成し、フォーカス情報生成手段はフォーカス動作情報からフォーカス情報を生成して画面表示部へ出力する。
【手続補正１０】
【補正対象書類名】明細書
【補正対象項目名】００１５
【補正方法】変更
【補正の内容】
【００１５】
この構成をとることで、予めＧＵＩ画面提供側であるＡＶ機器の画面生成部がＧＵＩとそれに対応するフォーカス情報生成手段を持ち、画面表示部であるＷｅｂブラウザからのリクエストに応じて画面構成情報とそのＧＵＩ画面に対応するフォーカス情報を画面表示部であるＷｅｂブラウザに送信する仕組みを持つことで、ＧＵＩ画面提供側の画面生成部から動的にフォーカスの制御ができるようになる。
【手続補正１１】
【補正対象書類名】明細書
【補正対象項目名】００１６
【補正方法】変更
【補正の内容】
【００１６】
本願の請求項４の発明は、状態管理手段は、画面表示部からの状態変化通知が、静的なデータのリクエストの場合は、画面構成データ保存手段が保存しているデータを出力し、動的なデータのリクエストの場合は、画面構成情報生成手段およびフォーカス情報生成手段に、画面構成情報およびフォーカス情報を生成して、それぞれ送る。
【手続補正１２】
【補正対象書類名】明細書
【補正対象項目名】００１７
【補正方法】変更
【補正の内容】
【００１７】
この構成をとることで、予めＧＵＩ画面提供側であるＡＶ機器の画面生成部は静的に保存された画面構成情報と動的に作成した画面構成情報の両方を取り扱うことができるようになる。
【手続補正１３】
【補正対象書類名】明細書
【補正対象項目名】００１８
【補正方法】変更
【補正の内容】
【００１８】
本願の請求項５の発明は、請求項１、２、３及び４のいずれかに記載のフォーカス制御システムにおいて、機器制御手段が、状態管理手段から制御命令が入力されるとフォーカス制御システムを制御する。
【手続補正１４】
【補正対象書類名】明細書
【補正対象項目名】００１９
【補正方法】変更
【補正の内容】
【００１９】
この構成をとることで、画面生成部と画面表示部を持つＡＶ機器は自身のコントロール用ＧＵＩを他の機器に提供できるようになる。
【手続補正１５】
【補正対象書類名】明細書
【補正対象項目名】００２０
【補正方法】変更
【補正の内容】
【００２０】
請求項７の発明は、画面表示部が、画面生成部からネットワーク経由で得たフォーカス情報とキー入力情報の内容に応じて、ＧＵＩ画面を生成する。
【手続補正１６】
【補正対象書類名】明細書
【補正対象項目名】００２１
【補正方法】変更
【補正の内容】
【００２１】
この構成をとることで、ＧＵＩ画面提供側であるＡＶ機器の画面生成部がネットワークを介して、他の機器にＧＵＩ画面を提供できるようになる。また、画面表示部を持つ機器に対してＧＵＩ画面提供側の意図したフォーカス移動ができるＧＵＩ画面を提供することを可能にする。請求項８の発明は、請求項７に記載のフォーカス制御システムにおいて、画面表示部はフォーカス移動先決定手段を備えている。この請求項８の構成をとることで、フォーカスのフレーム間移動が発生した際の移動先が決定される。
【手続補正１７】
【補正対象書類名】明細書
【補正対象項目名】００２２
【補正方法】変更
【補正の内容】
【００２２】
本願の請求項１０の発明は、請求項７、８及び９のいずれかに記載のフォーカス制御システムにおいて、画面表示部と画面生成部がそれぞれ別の機器に搭載され、画面表示部からの状態変更通知に応じて、画面生成部の画面構成情報生成手段は画面構成情報を生成し、フォーカス情報生成手段はフォーカス情報を生成し、画面表示部は、フォーカス情報に応じてフォーカスの移動先を決定する。
【手続補正１８】
【補正対象書類名】明細書
【補正対象項目名】００２３
【補正方法】変更
【補正の内容】
【００２３】
この構成をとることで、ＧＵＩ画面提供側であるＡＶ機器の画面生成部は、ＧＵＩ画面表示側であるＡＶ機器の画面表示部にＧＵＩ画面提供側の意図したフォーカス移動ができるＧＵＩ画面を動的に作成し、提供することを可能にする。
【手続補正１９】
【補正対象書類名】明細書
【補正対象項目名】００２４
【補正方法】変更
【補正の内容】
【００２４】
本願の請求項１１の発明は、請求項８、９及び１０のいずれかに記載のフォーカス制御システムにおいて、画面表示部と画面生成部がそれぞれ別の機器に搭載され、画面表示部からの状態変更通知に応じて、状態管理手段は、画面構成データ保存手段より、フォーカス情報および画面構成情報を取り出して出力するか、画面構成情報生成手段に画面構成情報を生成させ、フォーカス情報生成手段にフォーカス情報を生成させて出力し、画面表示部は、フォーカス情報に応じてフォーカスの移動先を決定する。
【手続補正２０】
【補正対象書類名】明細書
【補正対象項目名】００２５
【補正方法】変更
【補正の内容】
【００２５】
この構成をとることで、ＧＵＩ画面提供側であるＡＶ機器の画面生成部はＧＵＩ表示側のＡＶ機器の画面表示部にＧＵＩ画面提供側の意図したフォーカス移動をするための静的に保存された画面構成情報と動的に作成した画面構成情報の両方を取り扱うことができるようになる。
【手続補正２１】
【補正対象書類名】明細書
【補正対象項目名】００２６
【補正方法】変更
【補正の内容】
【００２６】
本願の請求項１２の発明は、請求項８、９、１０及び１１のいずれかに記載のフォーカス制御システムにおいて、機器制御手段は状態管理手段から機器に対する制御命令が入力されるとフォーカス制御システムを制御する。
【手続補正２２】
【補正対象書類名】明細書
【補正対象項目名】００２７
【補正方法】変更
【補正の内容】
【００２７】
この構成をとることで、ＧＵＩ画面提供側であるＡＶ機器の画面生成部はＧＵＩ画面表示側のＡＶ機器の画面表示部に対して、ＡＶ機器のコントロール用ＧＵＩ画面を提供できるようになる。
【手続補正２３】
【補正対象書類名】明細書
【補正対象項目名】００２８
【補正方法】変更
【補正の内容】
【００２８】
本願の請求項１３の発明は、画面生成部と画面表示部がネットワークを経由して接続されている場合に、請求項８、９、１０、１１及び１２のいずれかに記載のフォーカス制御システムにおいて、部品間でのフォーカス移動が発生した際には、移動前の部品でのフォーカス位置情報を保存し、移動後の部品でのフォーカス位置情報を取り出すフォーカス位置保存手段をもつことを特徴とする。
【手続補正２４】
【補正対象書類名】明細書
【補正対象項目名】００２９
【補正方法】変更
【補正の内容】
【００２９】
この構成をとることで、画面生成部と画面表示部がネットワークを経由して接続されている場合に、ＧＵＩ画面提供側であるＡＶ機器の画面生成部はＧＵＩ画面表示側のＡＶ機器の画面表示部に対して、フレームを表示している際に、フレーム間でフォーカス移動が発生する場合、移動前のフレームでのフォーカスの位置を覚えておき、もう一度そのフレームに戻ってくる際に、元の位置に戻ることができるシステムを提供できる。
【手続補正２５】
【補正対象書類名】明細書
【補正対象項目名】００３０
【補正方法】変更
【補正の内容】
【００３０】
本願の請求項１４の発明は、請求項８、９、１０、１１、１２及び１３のいずれかに記載のフォーカス制御システムであって、フォーカス情報は１つ以上の移動情報を含み、移動情報は、移動が発生する際の条件に関する１つ以上の移動イベント発生条件情報と、移動イベント発生条件を満たしたときのフォーカスの移動やショートカット動作に関するアクション情報によって構成されていることを特徴とする。
【手続補正２６】
【補正対象書類名】明細書
【補正対象項目名】００３１
【補正方法】変更
【補正の内容】
【００３１】
本願の請求項１５の発明は、８、９、１０、１１、１２、１３及び１４のいずれかに記載のフォーカス制御システムであって、画面表示部はＨＴＭＬを表示処理可能な機器であり、フォーカス情報は１つ以上の移動情報を含み、移動情報はＨＴＭＬのＵＲＬ形式であり移動先ファイル名、ラベル情報、フレーム名とで構成されることを特徴とする。また、本願の請求項１６の発明は、請求項１、２、３、４、５及び６のいずれかに記載のフォーカス制御システムは、さらに、第２の画面表示部と、前記フォーカス制御システムと前記第２の画面表示部とを接続するネットワークとを備えたことを特徴とする。
【手続補正２７】
【補正対象書類名】明細書
【補正対象項目名】００３２
【補正方法】変更
【補正の内容】
【００３２】
この請求項１５の発明の構成をとることで、画面構成情報にＨＴＭＬを用い、そのリンクに対してフォーカスの移動先情報を設定することができるようになる。また、請求項１６の構成をとることで、別に設けた第２の画面表示部とにおいても、ネットワークを経由してフォーカス移動ができるようになる。